(57)【要約】      （修正有）【課題】原子力発電所の事故により、放射線濃度が局地的に高い「ホットスポット」と呼ばれる場所が生じている。このホットスポットでの被曝線量を低減し、ホットスポットで競技等の活動を行う人間が被曝することを抑えるため、簡易に被曝線量を低減することが可能な人工芝生を提供する。【解決手段】人工芝生１０は、基布１１と、基布１１の表面に植設された芝糸１２と、基布１１の裏面に設けられ、芝糸１２を基布１１に固定するバッキング材１３とを備え、バッキング材１３が放射線遮蔽シートから構成されている。【選択図】図１
2015021280.tif 000002
【特許請求の範囲】
【請求項１】
基布と、
前記基布の表面に植設された芝糸と、
前記基布の裏面に設けられ、前記芝糸を前記基布に固定するバッキング材とを備え、
前記バッキング材が放射線遮蔽シートから構成されている
人工芝生。
【発明の詳細な説明】
【技術分野】
【０００１】
本発明は、人工芝生に関し、特に放射線遮蔽能を持つ人工芝生に関する。
【背景技術】
【０００２】
従来から、タフティングマシンを用いて芝糸としての合成樹脂製繊維を基布に多数本植設し、この基布の裏面にゴムラテックス等のバッキング材を塗布して芝糸を固定し、植設された芝糸間に砂等の粒状体を充填した粒状体層を設けてなる人工芝生がある。このような人工芝生は、各種スポーツ用競技場や学校の校庭等の表面材として広く用いられており、これに関する技術も多数提案されている（例えば、特許文献１参照）。
【先行技術文献】
【特許文献】
【０００３】
【特許文献１】特開２００７−３０９０９３号公報
【発明の概要】
【発明が解決しようとする課題】
【０００４】
ところで、昨今の原子力発電所の事故により、事故現場の周辺には、放射線濃度（放射線量）が局地的に高い所謂「ホットスポット」と呼ばれる場所が生じている。従って、国及び自治体等は、このホットスポットでの被曝線量を低減し、ホットスポットで競技等の活動を行う人間が被曝することを抑える方法を模索している。
【０００５】
このような被曝線量を低減する方法としては、例えばホットスポットの放射性物質を遠ざける方法がある。放射性物質の残留した表面の土壌（表土）及びコンクリート等に対してこの方法を適用する場合、汚染された表面の土壌及びコンクリート等を削り取り、削り取ったものを土中深くの土と入れ替える、又は一時的に別の場所に移すことが考えられる。しかしながら、削り取ったものを土中深くの土と入れ替える場合には多額の処理費用が掛かり、削り取ったものを一時的に別の場所に移す場合には広大な保管場所を確保する必要が生じる。従って、簡易に被曝線量を低減することが可能な方法が強く求められている。
そこで、本発明は、かかる問題点に鑑み、簡易に被曝線量を低減することが可能な人工芝生を提供することを目的とする。
【課題を解決するための手段】
【０００６】
上記目的を達成するために、本発明に係る人工芝生は、基布と、前記基布の表面に植設された芝糸と、前記基布の裏面に設けられ、前記芝糸を前記基布に固定するバッキング材とを備え、前記バッキング材が放射線遮蔽シートから構成されていることを特徴とする。
【発明の効果】
【０００７】
本発明によれば、簡易に被曝線量を低減することが可能な人工芝生を実現することができる。
【図面の簡単な説明】
【０００８】
【図１】本発明の実施形態に係る人工芝生の構成を模式的に示す断面図である。
【発明を実施するための形態】
【０００９】
以下、本発明の実施形態について、図面を用いて詳細に説明する。
本発明の実施形態に係る人工芝生１０について、図１を用いて説明する。
図１は、本実施形態に係る人工芝生１０の構成を模式的に示す断面図である。
【００１０】
この人工芝生１０は、各種スポーツ用競技場や学校の校庭等の表面材として使用されるものであり、基布１１、芝糸１２、バッキング材１３及び粒状体層１４を備え、土壌及びコンクリート等の基礎層１７の表面上に敷設される。
基布１１は、合成樹脂製繊維等を用いた織物、編物又は不織布等から構成され、例えばポリプロピレン製の平織りの織布から構成される。
【００１１】
芝糸１２は、合成樹脂、例えばポリエチレンから構成され、ストレートのカットパイル状に複数本、例えば１０本束ねられた状態で基布１２の表面に所定の間隔で複数植設されて芝葉を形成している。芝糸１２は、その先端が粒状体層１４から突出する形で植設されている。
【００１２】
なお、ストレートのカットパイル状とは、各芝糸１２が巻縮等、曲がりぐせが付いた様に加工されていない状態を意味しており、立設した芝糸１２が自重で撓むような変形や、植設工程の際についた芝糸の捻り等を持つ状態も含む。
【００１３】
バッキング材１３は、基礎層１７からの放射線を遮蔽する機能を持つ放射線遮蔽シートであり、基布１１の裏面に設けられて人工芝生１０の敷設面を構成し、芝糸１２を基布１１に植設された状態で裏面から固定している。バッキング材１３としては、例えば熱可塑性エラストマー等の樹脂に鉛及びタングステン等の金属粉末又は金属化合物粉末を含有する可撓性のシートを用いることができる。なお、放射線遮蔽効果は「比重」及び「厚み」に比例するため、バッキング材１３を構成する金属粉末としては、比重及び径の大きいものを用いられることが好ましい。従って、金の比重は１９．３であり、鉛の比重は１１．３であるため、コスト面を考慮しなければ、金属粉末として金が用いられてもよい。また、基布１１の裏面にバッキング材１３を複数枚、例えば２枚重ねて設けてもよい。
【００１４】
このようなシート状のバッキング材１３は、芝糸１２が植設された状態の基布１１裏面の例えば全面に、植設された芝糸１２が基布１１に固定されるように、金属粉末又は金属化合物粉末が含有された樹脂を塗布することにより形成される。このとき、金属粉末又は金属化合物粉末は、シート状のバッキング材１３の面内において均一に分散していてもよいし、芝糸１２と接する領域でそれ以外の領域より低濃度に分散されていてもよい。芝糸１２と接する領域で金属粉末又は金属化合物粉末を低濃度とすることにより、芝糸１２の基布１１への固定状態を強固にすることができる。
【００１５】
粒状体層１４は、基布１１の表面に下層１５及び上層１６が順次積層されて構成される二層構造を有している。上層１６は、各芝糸１２の間に充填された弾性粒状体、例えば熱可塑性エラストマー、ＳＢＲ又はＥＰＤＭ等のゴム粒子等で構成されている。また、下層１５は、各芝糸１２の間に充填された弾性粒状体、例えばＳＢＲ又はＥＰＤＭ等のゴム粒子に硅砂を配合して構成されている。下層１５は、例えば弾性粒状体１００重量部に珪砂１００重量部を配合させて構成される。
【００１６】
このような粒状体層１４の形成では、まず、基礎層１７に敷設された基布１１の上方から弾性粒状体が散布される。そして、弾性粒状体の上から珪砂がさらに散布された後、ブラシ体によるブラッシングを行うことで散布された弾性粒状体と珪砂とがかき混ぜられ、弾性粒状体と珪砂との混合物から構成される下層１５が形成される。次に、下層１５の上から弾性粒状体が散布された後、散布された弾性粒状体の上から表面のみを均すようにブラッシングを行うことで弾性粒状体のみで構成される上層１６が形成される。
【００１７】
以上のように、本実施形態の人工芝生１０は、基布１１と、基布１１の表面に植設された芝糸１２と、基布１１の裏面に設けられ、芝糸１２を基布１１に固定するバッキング材１３とを備え、バッキング材１３が放射線遮蔽シートから構成されている。
【００１８】
このような構成により、人工芝生１０に放射線遮蔽シートが一体成形され、人工芝生１０自体が放射線の遮蔽機能を持つことになるので、基礎層１７の表面上に人工芝生１０を敷設するだけで被曝線量を低減することができる。その結果、簡易に被曝線量を低減することが可能な人工芝生１０を実現することができる。
【００１９】
また、芝糸１２を基布１１に固定するバッキング材１３に放射線の遮蔽機能を持たせるため、人工芝生１０に新たな部材を付加する必要がない。その結果、放射線の遮蔽機能を持つが簡素な構成の人工芝生１０を実現することができる。
【００２０】
以上、本発明の人工芝生について、実施形態に基づいて説明したが、本発明は、この実施形態に限定されるものではない。本発明の要旨を逸脱しない範囲内で当業者が思いつく各種変形を施したものも本発明の範囲内に含まれる。
【産業上の利用可能性】
【００２１】
本発明は、人工芝生として有用であり、放射線遮蔽能を持つ人工芝生等において広く利用することができる。
【符号の説明】
【００２２】
１０    人工芝生
１１    基布
１２    芝糸
１３    バッキング材
１４    粒状体層
１５    下層
１６    上層
１７    基礎層
【図１】
2015021280.tif 000003